(57)【要約】【課題】純水及び薬液の安定した供給を行うことができるスプレーガンを提供する。【解決手段】スプレーガン１０は、Ａ液とＢ液とが混合された混合薬液を霧状に噴出するスプレーガン１０であって、Ａ液とＢ液とを混合する混合室が内部に形成されるとともに、混合室で混合された混合薬液を噴出するノズルを備えたスプレーガン本体２０と、スプレーガン本体２０に接続され、混合室に連通する分岐管４０と、Ａ液と、混合室を洗浄する洗浄水とを切り替える第１バルブ６０と、Ｂ液と洗浄水とを切り替える第２バルブ７０とを有し、分岐管４０に、Ａ液及びＢ液と、洗浄水とのいずれかを、分岐管４０を介して、混合室に供給するバルブユニット５０と、を備える。【選択図】図１
2013184150.tif 000002
【特許請求の範囲】
【請求項１】
Ａ液とＢ液とが混合された混合薬液を霧状に噴出するスプレーガンであって、
前記Ａ液と前記Ｂ液とを混合する混合室が内部に形成されるとともに、前記混合室で混合された前記混合薬液を噴出するノズルを先端に備えたスプレーガン本体と、
前記スプレーガン本体に接続され、前記混合室に連通する分岐管と、
前記Ａ液と、前記混合室を洗浄する洗浄水とを切り替える第１バルブと、前記Ｂ液と前記洗浄水とを切り替える第２バルブとを有し、前記分岐管に、前記Ａ液及び前記Ｂ液と、前記洗浄水とのいずれかを、前記分岐管を介して、前記混合室に供給するバルブユニットと、
を備えることを特徴とするスプレーガン。
【請求項２】
前記第１バルブは、第１ボール弁体を有する三方弁から構成され、
前記第１ボール弁体の回転により、前記Ａ液の流路が閉塞された場合には、前記洗浄水の流路を開放し、前記洗浄水の流路が閉塞された場合には、前記Ａ液の流路を開放することを特徴とする請求項１に記載のスプレーガン。
【請求項３】
前記第２バルブは、第２ボール弁体を有する三方弁から構成され、
前記第２ボール弁体の回転により、前記Ｂ液の流路が閉塞された場合には、前記洗浄水の流路を開放し、前記洗浄水の流路が閉塞された場合には、前記Ｂ液の流路を開放することを特徴とする請求項２に記載のスプレーガン。
【請求項４】
前記バルブユニットは、前記第１ボール弁体と前記第２ボール弁体とに連結された支軸を備えるハンドルをさらに有し、
前記ハンドルの回転とともに、前記第１ボール弁体及び前記第２ボール弁体が同期に回転することを特徴とする請求項３に記載のスプレーガン。
【請求項５】
前記バルブユニットは、前記Ａ液の流路又は前記Ｂ液の流路が、前記洗浄水の流路に通じないように、前記ハンドルの回転を規制する回転規制部を備えることを特徴とする請求項４に記載のスプレーガン。
【請求項６】
前記スプレーガン本体の一部は、ユーザ用のグリップとなる構成としたことを特徴とする請求項５に記載のスプレーガン。
【請求項７】
前記バルブユニットは、前記第１バルブ及び前記第２バルブを支持するための支持部材を有し、
前記支持部材は、前記グリップの下方に固定され、
前記スプレーガン本体と、前記支持部材と、前記分岐管とによって囲われる空間を形成し、この空間には、前記グリップを握る際、手の先端の挿入を可能とする構成としたことを特徴とする請求項６に記載のスプレーガン。
【請求項８】
前記混合室に設けた通路に垂下した状態で吊下した配管であって、この配管の直下に前記バルブユニットを設け、前記Ａ液と前記Ｂ液をスムースに前記混合室に供給する構成としたことを特徴とする請求項７に記載のスプレーガン。
【請求項９】
前記混合室の内壁には、潤滑性、及び／又は、残留液付着防止性を発揮できる表面処理が施されていることを特徴とする請求項１乃至８のいずれか一項に記載のスプレーガン。
【請求項１０】
前記Ａ液は、銀鏡反応に用いられる金属塩含有溶液であり、
前記Ｂ液は、銀鏡反応に用いられる還元剤含有溶液であることを特徴とする請求項１乃至９のいずれか一項に記載のスプレーガン。
【請求項１１】
前記混合室内の混合液を陰極とし、前記スプレーガン本体を陽極とすることで、前記混合室内の陰極の混合液を強制的に排出し、この混合室内壁への混合液の残留と付着を皆無とすることを特徴とする請求項１乃至１０のいずれか一項に記載のスプレーガン。
【発明の詳細な説明】
【技術分野】
【０００１】
本発明は、スプレーガンに関する。
【背景技術】
【０００２】
近年、環境問題への配慮の観点から、表面処理の一つとして、銀鏡反応を利用した銀鏡塗装が注目されている。この銀鏡塗装では、例えば、スプレーガンを用いて、銀鏡塗装の対象物の表面を塗装する（例えば、特許文献１及び２参照。）。
【０００３】
特許文献１及び２に記載のスプレーガンは、１頭式のスプレーノズルガンである。このスプレーガンを用いて、銀鏡塗装をする場合、例えば、先ず、スプレーガンから純水を吐出させて、塗装の対象物の表面に付着した付着物を除去する。次に、純水から、２種類の薬液からなる混合薬液に切り替えて、スプレーガンから、この混合薬液を噴出させる。これにより、対象物の塗装面に、混合薬液が塗布され、銀鏡面が形成される。
【先行技術文献】
【特許文献】
【０００４】
【特許文献１】特開２００８−１８３５３７号公報
【特許文献２】特開平７−２７５７４７号公報
【発明の概要】
【発明が解決しようとする課題】
【０００５】
特許文献１及び２に記載のスプレーガンにおいて、純水と、２種類の薬液からなる混合薬液とを切り替える場合には、例えば、一方のチューブの一部を押圧して、チューブ内の流体（薬液、或いは純水）の流れを遮断することにより、他方のチューブのみ、流体を流す切替え手段（切替えコック）の具備が考えられる。この場合、切替え手段による切替え操作を、繰り返し行うことで、チューブの一部が何度も押圧されて、チューブが劣化する懸念がある。そのため、純水及び薬液の安定した供給を行うには、さらなる改良の余地がある。
【０００６】
本発明は、上述の事情の下になされたもので、純水及び薬液の安定した供給を行うことができるスプレーガンを提供することを目的とする。
【課題を解決するための手段】
【０００７】
上述の目的を達成するために、本発明のスプレーガンは、
Ａ液とＢ液とが混合された混合薬液を霧状に噴出するスプレーガンであって、
前記Ａ液と前記Ｂ液とを混合する混合室が内部に形成されるとともに、前記混合室で混合された前記混合薬液を噴出するノズルを先端に備えたスプレーガン本体と、
前記スプレーガン本体に接続され、前記混合室に連通する分岐管と、
前記Ａ液と、前記混合室を洗浄する洗浄水とを切り替える第１バルブと、前記Ｂ液と前記洗浄水とを切り替える第２バルブとを有し、前記分岐管に、前記Ａ液及び前記Ｂ液と、前記洗浄水とのいずれかを、前記分岐管を介して、前記混合室に供給するバルブユニットと、
を備えることを特徴とする。
【０００８】
前記第１バルブは、第１ボール弁体を有する三方弁から構成され、
前記第１ボール弁体の回転により、前記Ａ液の流路が閉塞された場合には、前記洗浄水の流路を開放し、前記洗浄水の流路が閉塞された場合には、前記Ａ液の流路を開放することが好ましい。
【０００９】
前記第２バルブは、第２ボール弁体を有する三方弁から構成され、
前記第２ボール弁体の回転により、前記Ｂ液の流路が閉塞された場合には、前記洗浄水の流路を開放し、前記洗浄水の流路が閉塞された場合には、前記Ｂ液の流路を開放することが好ましい。
【００１０】
前記バルブユニットは、前記第１ボール弁体と前記第２ボール弁体とに連結された支軸を備えるハンドルをさらに有し、
前記ハンドルの回転とともに、前記第１ボール弁体及び前記第２ボール弁体が同期に回転することが好ましい。
【００１１】
前記バルブユニットは、前記Ａ液の流路又は前記Ｂ液の流路が、前記洗浄水の流路に通じないように、前記ハンドルの回転を規制する回転規制部を備えることが好ましい。
【００１２】
前記スプレーガン本体の一部は、ユーザ用のグリップとなる構成とすることが好ましい。
【００１３】
前記バルブユニットは、前記第１バルブ及び前記第２バルブを支持するための支持部材を有し、
前記支持部材は、前記グリップの下方に固定され、
前記スプレーガン本体と、前記支持部材と、前記分岐管とによって囲われる空間を形成し、この空間には、前記グリップを握る際、手の先端の挿入を可能とする構成とすることが好ましい。
【００１４】
前記混合室に設けた通路に垂下し状態で吊下した配管であって、この配管の直下に前記バルブユニットを設け、前記Ａ液及び前記Ｂ液をスムースに前記混合室に供給する構成とすることが好ましい。
【００１５】
前記混合室の内壁には、潤滑性、及び／又は、残留液付着防止性を発揮できる表面処理が施されていることが好ましい。
【００１６】
前記Ａ液は、銀鏡反応に用いられる金属塩含有溶液であり、
前記Ｂ液は、銀鏡反応に用いられる還元剤含有溶液であることが好ましい。
【００１７】
前記混合室内の混合液を陰極とし、前記スプレーガン本体を陽極とすることで、前記混合室内の陰極の混合液を強制的に排出し、この混合室内壁への混合液の残留と付着を皆無とすることが好ましい。
【発明の効果】
【００１８】
本発明に係るスプレーガンは、バルブユニットを備えていることから、純水及び薬液の安定した供給を行うことができる。
【図面の簡単な説明】
【００１９】
【図１】（Ａ）は、本発明の実施形態に係るスプレーガンの正面図である。（Ｂ）は、本発明の実施形態に係るスプレーガンの側面図である。
【図２】スプレーガンの分解側面図である。
【図３】スプレーガンの内部構造を示した模式図である。
【図４】（Ａ）は、分岐管の側面図である。（Ｂ）は、分岐管の正面図である。
【図５】（Ａ）は、バルブユニットの側面図である。（Ｂ）は、バルブユニットの斜視図である。
【図６】バルブユニットの分解斜視図である。
【図７】バルブユニットの正面図である。
【図８】（Ａ）は、第１バルブの断面図である。（Ｂ）は、第２バルブの断面図である。
【図９】（Ｉ）、（ＩＩ）、（ＩＩＩ）は、バルブユニットの切替え操作を説明するための側面図である。
【図１０】（Ｉ）、（ＩＩ）、（ＩＩＩ）は、バルブユニットの切替え操作を説明するための断面図である。
【図１１】（ＩＶ）、（Ｖ）は、バルブユニットの切替え操作を説明するための側面図である。
【図１２】（ＩＶ）、（Ｖ）は、バルブユニットの切替え操作を説明するための断面図である。
【図１３】スプレーガンの使用状態を説明するための側面図である。
【図１４】スプレーガンの動作を説明するための簡略図である。
【図１５】（Ａ）及び（Ｂ）は、バルブユニットの切替え操作を説明するための側面図である。
【図１６】（Ａ）及び（Ｂ）は、バルブユニットの比較例の断面図である。
【発明を実施するための形態】
【００２０】
以下、本発明の実施形態に係るスプレーガン１０について図を用いて説明する。なお、図中のＸＹ平面は水平な面であり、図中のＺ軸の方向は鉛直方向である。また、図中、＋Ｚ方向が、スプレーガン１０の上方に相当し、−Ｚ方向が、スプレーガン１０の下方に相当する。
【００２１】
スプレーガン１０は、例えば、表面処理の対象物の塗装面に、銀鏡塗装を施すために用いられる。スプレーガン１０は、図１（Ａ）及び図１（Ｂ）に示すように、スプレーガン本体２０と、スプレーガン本体２０に銀鏡塗装の薬液を供給するための分岐管４０と、バルブユニット５０とを有する。銀鏡塗装の薬液には、例えば、金属塩含有溶液（Ａ液）と、還元剤含有溶液（Ｂ液）とが用いられる。Ａ液は、例えば、アンモニア性硝酸銀溶液である。Ｂ液は、例えば、グルコン酸ナトリウム、グルシトール、ホルムアルデヒド等の還元剤と、水酸化ナトリウム、水酸化カリウム等の強アルカリ成分とを含む水溶液である。また、分岐管４０とバルブユニット５０とは、薬液用の配管１１ａ，１１ｂ（ホース）によって接続されている。また、スプレーガン本体２０には、エアホース１２が接続され、バルブユニット５０には、Ａ液用の配管１３ａ（ホース）と、Ｂ液用の配管１３ｂ（ホース）と、２本の純水用の配管１４ａ，１４ｂとが接続されている。
【００２２】
スプレーガン本体２０は、図２に示すように、略Ｌ字形状に形成されている。スプレーガン本体２０は、例えば、ステンレスからなる。スプレーガン本体２０は、Ｙ軸方向に長く形成された胴体部２１（銃身）と、胴体部２１の＋Ｙ側の端部から下方（−Ｚ方向）に垂下するように形成されたグリップ２２と、胴体部２１に回動可能に取り付けられたトリガー２３とを有する。
【００２３】
胴体部２１の上面（＋Ｚ側の面）には、フック２９が形成されている。このフック２９は、例えば、スプレーガン１０を、壁や装置に引っ掛けて保持するために用いられる。
【００２４】
グリップ２２は、スプレーガン１０を使用するユーザが手で握る部分として構成される。このグリップ２２には、−Ｙ側に突出する突出部２２ａが形成されている。突出部２２ａは、例えば、スプレーガン１０のユーザがグリップ２２を握った場合に、ユーザの指と指との間に配置される。例えば、ユーザの中指と薬指との間に配置される。突出部２２ａが、指と指との間に配置されることにより、スプレーガン１０が、その自重により、ユーザの手からずれ落ちることを防ぐ。また、トリガー２３の操作も行い易くなる。また、グリップ２２の−Ｙ側の面の一部（突出部２２ａの下側）は、ユーザの指の形に対応した、ユーザが握りやすい湾曲形状に形成されている。例えば、グリップ２２の−Ｙ側の面は、ユーザの中指、薬指の形に対応した湾曲形状に形成されている。
【００２５】
トリガー２３は、スプレーガン１０を使用するユーザが、銀鏡塗装の薬液を噴出させるレバーとして構成されている。トリガー２３は、Ｚ軸方向に長く形成された部材である。このトリガー２３の＋Ｚ側の端部は、ピン２３ａを介して、胴体部２１の中央近傍（Ｙ軸方向における中央近傍）に回動可能に取り付けられている。これにより、トリガー２３は、ピン２３ａを中心に、Ｘ軸回りに回動する。
【００２６】
また、スプレーガン本体２０の−Ｙ側の先端には、エアキャップ２４が嵌め込まれている。
【００２７】
エアキャップ２４は、−Ｙ側を底部とする有底円筒形状に形成されている。エアキャップ２４の−Ｙ側の面（底面）には、一対の角部２４ａ，２４ｂが形成されている。角部２４ａ，２４ｂは、−Ｙ側に突出するように形成されている。また、エアキャップ２４の−Ｙ側の面の中心には、図３に示すように、Ｙ軸方向に貫通する貫通孔２５が形成されている。
【００２８】
スプレーガン本体２０の胴体部２１の−Ｙ側の端部には、銀鏡塗装の薬品を噴出させるための噴出口２６ａを備えたノズル２６が形成されている。このノズル２６は、エアキャップ２４の貫通孔２５に挿通され、ノズル２６の先端部（−Ｙ側の端部）は、貫通孔２５から突出している。ノズル２６が、エアキャップ２４の貫通孔２５に挿通されることにより、ノズル２６の外周面と貫通孔２５の内周面とによって、円環状の隙間が形成される。この隙間は、主空気孔２７として構成される。噴出口２６ａから噴出された薬液は、主空気孔２７から吐出された空気と混じり合うことによって、霧状となって、銀鏡塗装の対象物に塗布される。また、エアキャップ２４の角部２４ａ，２４ｂには、塗布パターンや塗布面積の調整に用いられる補助空気孔２８が、１つずつ形成されている。角部２４ａに形成された補助空気孔２８と、角部２４ｂに形成された補助空気孔２８とは、対向するように形成されている。なお、本実施形態においては、補助空気孔２８は、角部２４ａ，２４ｂに１つずつ形成されているが、これに限らず、２つずつ以上形成されていてもよい。
【００２９】
スプレーガン本体２０の胴体部２１の内部には、銀鏡塗装の薬品を混合するための混合室３０と、銀鏡塗装の薬液が流れる薬液通路３１と、エア（圧縮空気）が流れるエア通路３２とが形成されている。混合室３０の内壁は、薬液の残留・付着等を防止するために、表面処理が施されている。表面処理の方法としては、例えば、めっき処理やコーティング処理等である。さらに具体的には、混合室３０の内壁は、ハードクロムめっき、無電解ニッケルめっき、ニッケルボロンめっき、セラミックカニゼンレイデントめっき等のめっき処理や、フッ素樹脂コーティング処理等が施されていることが好ましい。ただし、これに限らず、他の表面処理であってもよい。混合室３０は、ノズル２６の噴出口２６ａを介して、外部と通じている。また、銀鏡塗装の薬品が流れる薬液通路３１は、分岐管４０の内部に形成された通路４１に通じている。これにより、分岐管４０から、薬液通路３１を介して、混合室３０に銀鏡塗装の薬品が供給される。
【００３０】
また、スプレーガン本体２０の胴体部２１には、ニードル弁３４が、＋Ｙ方向及び−Ｙ方向の双方向に移動可能に配置されている。このニードル弁３４の一方の端部（−Ｙ側の端部）は、混合室３０に挿入され、図示しないばね機構により、噴出口２６ａ近傍に付勢されている。この付勢によって、ノズル２６の噴出口２６ａは、閉弁される。また、ニードル弁３４の他方の端部（＋Ｙ側の端部）は、トリガー２３に連結されている。ユーザが、トリガー２３を引くと、ニードル弁３４は、ばね機構の付勢力に抗して、＋Ｙ方向に移動する。これにより、ノズル２６の噴出口２６ａは、開弁される。この結果、銀鏡塗装の薬品が、噴出口２６ａから噴出される。
【００３１】
また、スプレーガン本体２０には、図１及び図２に示すように、スプレーガン本体２０の形状である略Ｌ字状の曲げ部近傍に、パターン調節部３５と、薬液量調節部３６とが形成されている。また、スプレーガン本体２０の−Ｚ側の端部には、空気圧調節部３７が形成されている。パターン調節部３５は、スプレーガン１０の塗布パターンや塗布面積を調整するために用いられる。例えば、パターン調節部３５を回動することにより、塗布パターンを、丸形から楕円形にしたり、楕円形から丸形にしたりすることができる。薬液量調節部３６は、ノズル２６の噴出口２６ａから噴出される薬液の量を調節するために用いられる。また、空気圧調節部３７は、スプレーガン本体２０の主空気孔２７及び補助空気孔２８から噴出されるエアの量（エア圧）を調節するために用いられる。
【００３２】
スプレーガン本体２０は、エアホース１２を接続するための接続部材１９を有している。接続部材１９は、グリップ２２の下端（−Ｚ側の端部）に、ナット等により取り付けられている。接続部材１９は、金属製の管であり、内部にエア（圧縮空気）が通る通路が形成されている。接続部材１９は、エアホース１２を介して、例えば、図示しないエアコンプレッサーに接続されている。このエアコンプレッサーから、エアホース１２及び接続部材１９を通って、スプレーガン本体２０にエアが供給される。詳しくは、エアコンプレッサーから、スプレーガン本体２０の胴体部２１に形成されたエア通路３２に、エアが供給される（図３参照）。
【００３３】
分岐管４０は、図４（Ａ）及び図４（Ｂ）に示すように、内部に通路４１を有する略Ｙ字形（図４においては、上下逆向きの略Ｙ字形）の管であり、スプレーガン本体２０に、Ａ液、Ｂ液、及び純水を供給するために用いられる。なお、純水は、混合室３０等の内壁を洗浄するために用いられる。ただし、純水に限らず、上水であってもよいし、水以外の洗浄液であってもよい。分岐管４０は、スプレーガン本体２０の胴体部２１の−Ｙ側の端部近傍から垂れ下がるように、スプレーガン本体２０に取り付けられている。また、分岐管４０の＋Ｙ側には、Ａ液、Ｂ液、及び純水が流出する開口４２が形成されている。分岐管４０が、スプレーガン本体２０に取り付けられることで、分岐管４０の通路４１は、開口４２を介して、スプレーガン本体２０の胴体部２１の薬液通路３１に連通する。また、分岐管４０の−Ｙ側には、Ａ液及び純水が流入する開口４３と、Ｂ液及び純水が流入する開口４４とが形成されている。開口４２，４３，４４は、通路４１によって繋がっている。開口４３には、Ａ液用の配管１１ａが接続され、開口４４には、Ｂ液用の配管１１ｂが接続される。
【００３４】
バルブユニット５０は、薬液及び純水のいずれかを切り替えて、配管１１ａ，１１ｂを介して、分岐管４０に供給する。バルブユニット５０は、図５（Ａ）、図５（Ｂ）、図６及び図７に示すように、第１バルブ６０と、第２バルブ７０と、ハンドル５１と、支持部材５２とを有している。
【００３５】
第１バルブ６０は、Ａ液及び純水のいずれかを切り替える三方弁から構成されている。この第１バルブ６０は、図８（Ａ）に示すように、ボデー６１と、このボデー６１に内設された第１ボール弁体６２とを有している。第１ボール弁体６２は、ハンドル５１に連結されており、ハンドル５１の回転とともに回転する。また、ボデー６１には、Ａ液用の第１流入口６３と、純水用の第２流入口６４と、Ａ液又は純水のいずれかを流出するための流出口６５とが形成されている。ハンドル５１によって、第１ボール弁体６２を回転させることにより、流出口６５は、第１流入口６３及び第２流入口６４のうちのいずれかに連通する。また、第１流入口６３、第２流入口６４、流出口６５近傍には、ホースを固定するためのホース固定部６６、６７、６８がそれぞれ形成されている。ホース固定部６６には、図１（Ａ）及び図１（Ｂ）を参照するとわかるように、Ａ液用の配管１３ａ（ホース）の端部が固定される。また、ホース固定部６７には、純水用の配管１４ａ（ホース）の端部が固定される。また、ホース固定部６８には、上述したＡ液用の配管１１ａ（ホース）が接続される。
【００３６】
第２バルブ７０は、Ｂ液及び純水のいずれかを切り替える三方弁から構成されている。この第２バルブ７０は、図８（Ｂ）に示すように、第１バルブ６０と同様に、ボデー７１と、このボデー７１に内設された第２ボール弁体７２とを有している。第２ボール弁体７２は、ハンドル５１に連結されており、ハンドル５１の回転とともに回転する。また、ボデー７１には、Ｂ液用の第１流入口７３と、純水用の第２流入口７４と、Ｂ液又は純水のいずれかを流出させるための流出口７５とが形成されている。ハンドル５１によって、第２ボール弁体７２を回転させることにより、流出口７５は、第１流入口７３及び第２流入口７４のいずれかに連通する。また、第１流入口７３、第２流入口７４、流出口７５近傍には、ホースを固定するためのホース固定部７６，７７，７８がそれぞれ形成されている。ホース固定部７６には、図１（Ａ）及び図１（Ｂ）を参照するとわかるように、Ｂ液用の配管１３ｂ（ホース）の端部が固定される。また、ホース固定部７７には、純水用の配管１４ｂ（ホース）の端部が固定される。また、ホース固定部７８には、上述したＢ液用の配管１１ｂ（ホース）が接続される。
【００３７】
ハンドル５１の支軸５１ａは、図７に示すように、第１バルブ６０と第２バルブ７０とを貫通するように取り付けられている。ハンドル５１が回転すると、第１バルブ６０の第１ボール弁体６２及び第２バルブ７０の第２ボール弁体７２は、同期に回転する。
【００３８】
支持部材５２は、図１に示すように、第１バルブ６０と第２バルブ７０とを支持する部材である。この支持部材５２は、グリップ２２の下端（−Ｚ側の端部）に取り付けられた接続部材１９に固定されている。支持部材５２は、例えば、ナット等の締結により、接続部材１９に固定される。第１バルブ６０と第２バルブ７０とが、この支持部材５２に支持されることにより、第１バルブ６０及び第２バルブ７０に接続された配管１１ａ，１１ｂが、グリップ２２から離間して配置される。このため、ユーザがグリップ２２を握ったときに、配管１１ａ，１１ｂが、ユーザの手に干渉しにくくなる。
【００３９】
支持部材５２は、図５及び図６に示すように、第１部材５３と、この第１部材５３に固定された第２部材５４及び第３部材５５とから構成されている。第１部材５３は、ＹＺ断面が略コの字形に形成された部材である。第２部材５４及び第３部材５５は、ＹＺ断面が略Ｌ字状に形成された部材であり、４つのボルト及びナットによって、第１部材５３に固定されている。また、第２部材５４は、第１バルブ６０の上面（＋Ｚ側の面）及び第２バルブ７０の上面（＋Ｚ側の面）に配置される。このとき、ホース固定部６８及びホース固定部７８は、第２部材５４に形成された２つの貫通孔５４ａに挿通する。また、第３部材５５は、第１バルブ６０の下面（−Ｚ側の面）及び第２バルブ７０の下面（−Ｚ側の面）に配置される。このとき、ホース固定部６８及びホース固定部７８は、第３部材５５に形成された２つの貫通孔５５ａに挿通する。第２部材５４及び第３部材５５は、第１バルブ６０及び第２バルブ７０を上下方向から挟みこんで、４本のネジによって固定される。また、第３部材５５には、ハンドル５１が所定角度以上に回転しないように、ハンドル５１の回転を規制する凸部５５ｂが形成されている。凸部５５ｂは、＋Ｘ方向に突出するように形成される。
【００４０】
上述のように構成されたバルブユニット５０は、流出する流体を、純水からＡ液及びＢ液に切り替えたり、Ａ液及びＢ液から純水に切り替えたりする。例えば、ハンドル５１が、図９（Ｉ）に示される状態にある場合は、第２バルブ７０では、図１０（Ｉ）に示すように、流出口７５が、第２流入口７４に通じている。このため、第２流入口７４から流入した純水は、流出口７５から流出する。
【００４１】
続けて、図９（ＩＩ）に示すように、ハンドル５１を、Ｘ軸回りに時計回りに回転させると、図１０（ＩＩ）に示すように、第２ボール弁体７２も、Ｘ軸回りに時計回りに回転する。そうすると、流出口７５は、第１流入口７３及び第２流入口７４のいずれにも通じなくなる。このため、流出口７５から何も流出しなくなる。
【００４２】
さらに、図９（ＩＩＩ）に示すように、ハンドル５１を、Ｘ軸回りに、９０°まで回転させると、図１０（ＩＩＩ）に示すように、第２ボール弁体７２も、Ｘ軸回りに、９０°まで時計回りに回転する。そうすると、流出口７５は、第１流入口７３に通じる。このため、第１流入口７３から流入したＢ液が、流出口７５から流出するようになる。
【００４３】
以上により、第２バルブ７０の流出口７５から流出する流体の、純水からＢ液への切り替えが完了する。なお、ハンドル５１を、Ｘ軸回りに時計回りに回転させると、第１バルブ６０の第１ボール弁体６２も、Ｘ軸回りに時計回りに回転する。このため、第１バルブ６０の流出口６５から流出する流体も、純水からＡ液に切り替えることができる。すなわち、ハンドル５１を、Ｘ軸回りに時計回りに回転させることで、純水からＡ液及びＢ液に同期に切り替えることができる。
【００４４】
続けて、ハンドル５１を、図１１（ＩＶ）に示すように、Ｘ軸回りに反時計回りに回転させると、図１２（ＩＶ）に示すように、流出口７５は、第１流入口７３及び第２流入口７４のいずれにも通じなくなる。このため、流出口７５から、Ｂ液が流出しなくなる。
【００４５】
続けて、ハンドル５１を、図１１（Ｖ）に示すように、さらにＸ軸回りに、９０°まで回転させると、図１２（Ｖ）に示すように、第２ボール弁体７２も、さらにＸ軸回りに９０°まで回転する。そうすると、流出口７５は、第２流入口７４に通じる。このため、第２流入口７４から流入した純水が、流出口７５から流出する。
【００４６】
以上により、第２バルブ７０の流出口７５から流出する流体の、Ｂ液から純水への切替えが完了する。なお、ハンドル５１を、Ｘ軸回りに反時計回りに回転させると、第１バルブ６０の第１ボール弁体６２も、Ｘ軸回りに反時計回りに回転する。このため、第１バルブ６０の流出口６５から流出する流体も、Ａ液から純水に切り替えることができる。すなわち、ハンドル５１を、Ｘ軸回りに反時計回りに回転させることで、Ａ液及びＢ液から純水に同期に切り替えることができる。
【００４７】
上述のように構成されたスプレーガン１０には、図１３に示すように、スプレーガン本体２０、支持部材５２、分岐管４０、配管１１ａ，１１ｂ等によって囲われる空間Ａが形成される。空間Ａは、スプレーガン１０のユーザが、グリップ２２を握る際に、手の先端を入れることが可能な空間として構成されている。そのため、ユーザが、スプレーガン本体２０のグリップ２２を握り易くなる。
【００４８】
以下、本実施形態に係るスプレーガン１０の動作について説明する。銀鏡塗装を施す場合は、図１３に示すように、例えば、混合薬液（Ａ液及びＢ液）に電流を流して陰極にするための電極部８０を、分岐管４０に接続する。また、スプレーガン本体２０に電流を流して陽極にするためのコード８１を、スプレーガン本体２０に接続する。なお、これとは逆に、混合薬液（Ａ液及びＢ液）に陽極にして、スプレーガン本体２０を陰極にしてもよい。
【００４９】
最初に、バルブユニット５０のハンドル５１を操作して、Ａ液及びＢ液が流出するように、バルブユニット５０を切り替える。バルブユニット５０から流出したＡ液及びＢ液は、図１４に示すように、Ａ液用の配管１１ａ及びＢ液用の配管１１ｂを通って、分岐管４０に流入する。分岐管４０に流入したＡ液及びＢ液は、分岐管４０の通路４１で合流して、スプレーガン本体２０の胴体部２１に形成された薬液通路３１を介して、胴体部２１内の混合室３０に流入する。Ａ液及びＢ液は、混合室３０内で混合される。混合室３０の内壁には、潤滑性、及び／又は、残留液付着防止性を発揮できる表面処理が施されているため、Ａ液及びＢ液が混合されやすくなっている。
【００５０】
続けて、ユーザが、図１３及び図１４に示すように、トリガー２３を引くことにより、混合室３０内で混合されたＡ液及びＢ液が、混合薬液として、ノズル２６の噴出口２６ａから噴出される。このとき、電極部８０を介して、電流を流し、この混合室３０内の混合薬液を陰極とするとともに、コード８１を介して、電流を流し、スプレーガン本体２０を陽極とすることで、混合室３０内の陰極の混合薬液が、強制的に排出される。噴出口２６ａから噴出された混合薬液は、主空気孔２７から吐出された空気と混じり合うことによって、霧状となって、銀鏡塗装の対象物に塗布される。
【００５１】
銀鏡塗装の対象物への塗布が終了したら、バルブユニット５０のハンドル５１を操作して、純水が流出するように、バルブユニット５０を切り替える。バルブユニット５０から流出した純水は、配管１１ａ及び配管１１ｂを通って、分岐管４０に流入する。そして、純水は、分岐管４０から、スプレーガン本体２０の胴体部２１に形成された薬液通路３１を介して、胴体部２１内の混合室３０に流入する。続けて、ユーザが、トリガー２３を引くことにより、ノズル２６の噴出口２６ａから、純水が噴出される。これにより、分岐管４０の通路４１や、混合室３０等が、純水により洗浄される。
【００５２】
以上、説明したように、本実施形態に係るスプレーガン１０は、バルブユニット５０を備えている。このため、純水及び薬液の安定した切替えを行うことができる。結果として、純水及び薬液の安定した供給を行うことができる。
【００５３】
これに対して、例えば、従来のように、バルブユニット５０ではなく、切替えコックを備えたスプレーガンの場合、この切替えコックが、一方のチューブの一部を押圧して、チューブ内の流体（純水、或いは薬液）の流れを遮断する。これにより、他方のチューブのみ、流体を流す。このため、切替えコックによる切替え操作を、繰り返し行うことで、チューブの一部が何度も押圧されて、チューブが劣化する懸念がある。また、結果的に、安定した純水及び薬液の切替えができなくなるおそれが生ずる。
【００５４】
しかしながら、本実施形態に係るスプレーガン１０は、バルブユニット５０を備えていることから、切替え操作を、繰り返し行ったとしても、この切替え操作に起因して、配管１１ａ，１１ｂ，１３ａ，１３ｂ，１４ａ，１４ｂ等が劣化することはない。したがって、純水及び薬液の安定した切替えを行うことができるようになる。
【００５５】
また、本実施形態では、第１バルブ６０は、第１ボール弁体６２を有する三方弁から構成されるとともに、第２バルブ７０は、第２ボール弁体７２を有する三方弁から構成されている。このため、純水及び薬液の切替えを、より安定して行うことができるようになる。
【００５６】
また、本実施形態では、ハンドル５１の回転とともに、第１ボール弁体６２及び第２ボール弁体７２が同期に回転する。このため、混合室３０で混合されるＡ液及びＢ液の混合割合を安定させることができる。
【００５７】
また、本実施形態では、バルブユニット５０の支持部材５２には、Ａ液の流路又はＢ液の流路が、洗浄水の流路に通じないように、図１５（Ａ）及び図１５（Ｂ）に示すように、ハンドル５１の回転を規制する凸部５５ｂが形成されている。このため、Ａ液の流路又はＢ液の流路に、洗浄水が逆流してしまうことを防ぐことができる。
【００５８】
これに対して、例えば、ハンドル５１の回転を規制する凸部５５ｂが形成されていない第１バルブ６０Ａの場合は、図１６（Ａ）に示すように、第１バルブ６０Ａの第１流入口６３と第２流入口６４とが通じてしまうおそれがある。同様に、凸部５５ｂが形成されていない第２バルブ７０Ａの場合は、図１６（Ｂ）に示すように、第２バルブ７０Ａの第１流入口７３と第２流入口７４とが通じてしまうおそれがある。これにより、Ａ液の流路又はＢ液の流路に、洗浄水が逆流してしまう。
【００５９】
しかしながら、本実施形態では、バルブユニット５０の支持部材５２には、図１５（Ａ）及び図１５（Ｂ）に示すように、ハンドル５１の回転を規制する凸部５５ｂが形成されているため、Ａ液の流路又はＢ液の流路に、洗浄水が逆流してしまうことを防ぐことができる。結果として、Ａ液又はＢ液を搬出するポンプ等の故障を防ぐことができる。また、Ａ液及び／又はＢ液への洗浄水の混入防止と、このＡ液及び／又はＢ液の劣化防止等に役立つ特徴がある。
【００６０】
また、本実施形態では、スプレーガン本体２０の一部は、ユーザ用のグリップ２２となる構成である。したがって、ユーザにとって、操作性が良好になるとともに、扱い易いスプレーガン１０を提供することができる。
【００６１】
また、本実施形態では、スプレーガン本体２０と、支持部材５２と、分岐管４０とによって囲われる空間Ａが形成されており、この空間Ａには、グリップ２２を握る際、手の先端の挿入を可能とする。したがって、このスプレーガン１０を使用する際に、ユーザが、グリップ２２を握り易くなる。
【００６２】
また、本実施形態では、混合室３０へ連通する薬液通路３１、通路４１に垂下した状態で、配管１１ａ，１１ｂが吊下され、この配管１１ａ，１１ｂの直下に、バルブユニット５０が設けられている。これにより、Ａ液及びＢ液をスムースに、混合室３０に供給することができる。
【００６３】
また、本実施形態では、スプレーガン本体２０の混合室３０の内壁に、潤滑性、及び／又は、残留液付着防止性を発揮できる表面処理が施されている。これにより、スプレーガン本体２０の混合室３０に流入したＡ液及びＢ液が、混合室３０内で混合されやすくなる。
【００６４】
また、本実施形態では、スプレーガン本体２０の混合室３０内の混合薬液を陰極とし、スプレーガン本体２０を陽極としてから、混合室３０内混合薬液が、ノズル２６の噴出口２６ａからされる。このため、混合室３０内の陰極の混合薬液を強制的に排出し、この混合室３０の内壁への混合薬液の残留と付着を皆無とすることができる。
【００６５】
以上、本発明の実施形態について説明したが、本発明は上記実施形態等によって限定されるものではない。
【００６６】
例えば、本実施形態のスプレーガン１０は、銀鏡塗装を施すために用いられるものであるが、これに限られず、例えば、めっき塗装等その他の塗装に用いられるものであってもよい。
【００６７】
また、本実施形態においては、分岐管４０に電極部８０を接続するとともに、スプレーガン本体２０にコード８１を接続した上で、スプレーガン１０を使用して、銀鏡塗装をしている。しかしながら、電極部８０及びコード８１を接続せずに、銀鏡塗装をしてもよい。
【００６８】
なお、本発明は、本発明の広義の精神と範囲を逸脱することなく、様々な実施形態及び変形が可能とされるものである。また、上述した実施形態は、本発明を説明するためのものであり、本発明の範囲を限定するものではない。
【符号の説明】
【００６９】
１０  スプレーガン
１１ａ、１１ｂ、１３ａ、１３ｂ、１４ａ、１４ｂ  配管
１２  エアホース
１９  接続部材
２０  スプレーガン本体
２１  胴体部（銃身）
２２  グリップ
２２ａ  突出部
２３  トリガー
２３ａ  ピン
２４  エアキャップ
２４ａ、２４ｂ  角部
２５  貫通孔
２６  ノズル
２６ａ  噴出口
２７  主空気孔
２８  補助空気孔
２９  フック
３０  混合室
３１  薬液通路
３２  エア通路
３４  ニードル弁
３５  パターン調節部
３６  薬液量調節部
３７  空気圧調節部
４０  分岐管
４１  通路
４２、４３、４４  開口
５０  バルブユニット
５１  ハンドル
５１ａ  支軸
５２  支持部材
５３  第１部材
５４  第２部材
５４ａ  貫通孔
５５  第３部材
５５ａ  貫通孔
５５ｂ  凸部（回転規制部）
６０、６０Ａ  第１バルブ
６１  ボデー
６２  第１ボール弁体
６３  第１流入口
６４  第２流入口
６５  流出口
６６、６７、６８  ホース固定部
７０、７０Ａ  第２バルブ
７１  ボデー
７２  第２ボール弁体
７３  第１流入口
７４  第２流入口
７５  流出口
７６、７７、７８  ホース固定部
８０  電極部
８１  コード
Ａ  空間
【図１】
2013184150.tif 000003
【図２】
2013184150.tif 000004
【図３】
2013184150.tif 000005
【図４】
2013184150.tif 000006
【図５】
2013184150.tif 000007
【図６】
2013184150.tif 000008
【図７】
2013184150.tif 000009
【図８】
2013184150.tif 000010
【図９】
2013184150.tif 000011
【図１０】
2013184150.tif 000012
【図１１】
2013184150.tif 000013
【図１２】
2013184150.tif 000014
【図１３】
2013184150.tif 000015
【図１４】
2013184150.tif 000016
【図１５】
2013184150.tif 000017
【図１６】
2013184150.tif 000018